(57)【要約】【課題】より快適性の高い優れた遮蔽装置を提供する。【解決手段】本発明の遮蔽装置（例えばロールスクリーン１）は、遮蔽材（例えばスクリーン４）の開閉を可能とし、遮蔽材を開閉可能に支持する枠体（例えば取付フレーム２）と、その枠体の下方から入射する外光を抑制するように調整可能とするフィン９とを備える。フィン９は、フィン９を可動させ開閉状態を切り替え可能とする切替手段による操作、又は直接的な手操作で、外光に対し遮蔽する閉状態と、外光に対し部分採光する開状態とを切り替え可能に構成されている。【選択図】図１
2019044356.tif 000002
【特許請求の範囲】
【請求項１】
遮蔽材の開閉を可能とする遮蔽装置であって、
前記遮蔽材を開閉可能に支持する枠体と、
前記枠体の下方から入射する外光を抑制するように調整可能とするフィンと、
を備えることを特徴とする遮蔽装置。
【請求項２】
前記フィンは前記枠体の下方から入射する外光を遮光可能に構成されていることを特徴とする、請求項１に記載のロールスクリーン。
【請求項３】
前記フィンを可動させ開閉状態を切り替え可能とする切替手段を更に備えることを特徴とする、請求項１又は２に記載の遮蔽装置。
【請求項４】
前記切替手段は、前記フィンに一端を取着し前記枠体を介して他端が外部に導出された切替コードと、前記切替コードの引き操作で前記切替コードの移動のロック又はロック解除を作動させるストッパー装置とを備え、前記切替コードの引き操作で前記フィンの開閉状態を切り替え可能に構成されていることを特徴とする、請求項３に記載の遮蔽装置。
【請求項５】
前記切替手段は、操作棒と、前記フィンの被動ギヤ構造の軸部と噛合する駆動ギヤ軸と、前記操作棒の回転を前記駆動ギヤ軸の回転へと伝達する伝達ギヤ部と、前記駆動ギヤ軸の回転に所定の制動トルクを生じさせるブレーキ装置とを備え、前記操作棒の回転操作で前記フィンの開閉状態を切り替え可能に構成されていることを特徴とする、請求項３に記載の遮蔽装置。
【請求項６】
前記フィンは、直接的な手操作で前記フィンの開閉状態を切り替え可能に構成されていることを特徴とする、請求項１から５のいずれか一項に記載の遮蔽装置。
【請求項７】
前記フィンは、１つ又は複数段のフィンとして構成されていることを特徴とする、請求項１から６のいずれか一項に記載の遮蔽装置。
【発明の詳細な説明】
【技術分野】
【０００１】
本発明は、遮蔽材の開閉を可能とする遮蔽装置に関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、天井面や壁面等の取付面に対してブラケットを介して取着された取付フレームにより支持部材（サイドブラケット）を介して巻取パイプを支持し、スクリーンの上縁部を巻取パイプに取着して垂下させ、巻取パイプによってスクリーンの巻き取り又は巻き戻しを行うことにより室内への採光量を調節可能に構成される。
【０００４】
一般的なロールスクリーンでは、取付フレームの両端に支持部材（サイドブラケット）が固定され、左右両側の支持部材間に円筒状の巻取パイプが回転可能に支持される。
【０００５】
ところで、取付フレームと巻取パイプとの間の隙間を防止するため、隙間防止部材を配置するよう構成したロールスクリーンが開示されている（例えば、特許文献１参照）。
【先行技術文献】
【特許文献】
【０００６】
【特許文献１】実公平４−４８３１６号公報
【発明の概要】
【発明が解決しようとする課題】
【０００７】
前述したように、特許文献１には、取付フレームと巻取パイプとの間の隙間を防止するため、隙間防止部材を配置するよう構成したロールスクリーンが開示されている。
【０００８】
しかしながら、特許文献１に開示される隙間防止部材は、常に遮蔽状態にあり、採光状態へと切替えることができない。このため、より快適性の高い優れた遮蔽装置が要望される。
【０００９】
本発明の目的は、上述の問題に鑑みて、より快適性の高い優れた遮蔽装置を提供することにある。
【課題を解決するための手段】
【００１０】
本発明の遮蔽装置は、遮蔽材の開閉を可能とする遮蔽装置（後述する実施形態の例ではロールスクリーン）であって、前記遮蔽材を開閉可能に支持する枠体（後述する実施形態の例では取付フレーム）と、前記枠体の下方から入射する外光を抑制するように調整可能とするフィンと、を備えることを特徴とする。
【００１１】
また、本発明の遮蔽装置において、前記フィンは前記枠体の下方から入射する外光を遮光可能に構成されていることを特徴とする。
【００１２】
また、本発明の遮蔽装置において、前記フィンを可動させ開閉状態を切り替え可能とする切替手段を更に備えることを特徴とする。
【００１３】
また、本発明の遮蔽装置において、前記切替手段は、前記フィンに一端を取着し前記枠体を介して他端が外部に導出された切替コードと、前記切替コードの引き操作で前記切替コードの移動のロック又はロック解除を作動させるストッパー装置とを備え、前記切替コードの引き操作で前記フィンの開閉状態を切り替え可能に構成されていることを特徴とする。
【００１４】
また、本発明の遮蔽装置において、前記切替手段は、操作棒と、前記フィンの被動ギヤ構造の軸部と噛合する駆動ギヤ軸と、前記操作棒の回転を前記駆動ギヤ軸の回転へと伝達する伝達ギヤ部と、前記駆動ギヤ軸の回転に所定の制動トルクを生じさせるブレーキ装置とを備え、前記操作棒の回転操作で前記フィンの開閉状態を切り替え可能に構成されていることを特徴とする。
【００１５】
また、本発明の遮蔽装置において、前記フィンは、直接的な手操作で前記フィンの開閉状態を切り替え可能に構成されていることを特徴とする。
【００１６】
また、本発明の遮蔽装置において、前記フィンは、１つ又は複数段のフィンとして構成されていることを特徴とする。
【発明の効果】
【００１７】
本発明によれば、不所望な外光を低減、好適には完全に遮光することや部分的に取り入れるなど、遮蔽装置の上方に配置したフィンの開閉状態を切り替え可能とすることで、より快適性の高い優れた遮蔽装置を構成することができる。
【図面の簡単な説明】
【００１８】
【図１】本発明による第１実施形態の遮蔽装置としてのロールスクリーンの概略構成を示す正面図である。
【図２】本発明による第１実施形態の遮蔽装置としてのロールスクリーンにおけるフィンの構成例を示す側面図である。
【図３】（ａ）,（ｂ）は、それぞれ本発明による第１実施形態の遮蔽装置としてのロールスクリーンにおけるフィンの開閉切り替え動作を説明する側面図である。
【図４】（ａ），（ｂ）は、それぞれ本発明による第１実施形態の遮蔽装置としてのロールスクリーンにおけるフィンの動作例を示す側面図である。
【図５】本発明による第２実施形態の遮蔽装置としてのロールスクリーンの概略構成を示す正面図である。
【図６】本発明による第２実施形態の遮蔽装置としてのロールスクリーンにおけるフィンの構成例を示す側面図である。
【図７】（ａ）,（ｂ）は、それぞれ本発明による第２実施形態の遮蔽装置としてのロールスクリーンにおけるフィンの開閉切り替え動作例を示す側面図である。
【図８】（ａ）,（ｂ）は、それぞれ本発明による第１及び第２実施形態の遮蔽装置としてのロールスクリーンの変形例を示す側面図である。
【図９】（ａ）,（ｂ）は、それぞれ本発明による第３実施形態の遮蔽装置としてのロールスクリーンにおけるフィンにおける開閉切り替え動作例を示す側面図である。
【図１０】（ａ）,（ｂ）は、それぞれ本発明による第３実施形態の遮蔽装置としてのロールスクリーンの変形例を示す側面図である。
【発明を実施するための形態】
【００１９】
以下、図面を参照して、本発明による一実施形態の遮蔽装置としてのロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とする。
【００２０】
〔第１実施形態〕
まず、図１を参照して、本発明による第１実施形態の遮蔽装置としてのロールスクリーン１の構成を説明する。図１は、本発明に係る第１実施形態の遮蔽装置としてのロールスクリーン１の概略構成を示す正面図である。
【００２１】
図１に示すロールスクリーン１では、取付フレーム２の両端に支持部材２ａ，２ｂが固定され、その支持部材２ａ，２ｂには軸部材（図示せず）が固定されており、この軸部材から延びる固定軸（図示せず）によって、支持部材２ａ，２ｂ間に円筒状の巻取パイプ３が回転可能に支持される。取付フレーム２は、ブラケット６により天井面又は壁面の取着面に固定される。
【００２２】
巻取パイプ３の右端部には操作プーリー（図示せず）が設けられ、この操作プーリーに掛回される無端状の操作コード７が垂下されている。本例では、この操作コード７をボールチェーンで構成し、このボールチェーンが掛回される当該操作プーリーの表面を、そのボールチェーンのボール部に適合する形状の凹凸を有するように構成している。そして、操作コード７の操作により巻取パイプ３を回転操作可能としている。尚、操作コード７を紐状とし、この操作コード７が掛回される当該操作プーリーの表面を高摩擦性の表面形状としてもよい。
【００２３】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている。ただし、巻取パイプ３の室内側からスクリーン４を垂下させる形態としてもよい。
【００２４】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００２５】
また、本例では、巻取パイプ３内において、その左端側にはスクリーン４の巻上時の操作力を軽減するスプリングモーター、右端側にはスクリーン４の自重降下を防止するストッパー装置等が収容されている（図示せず）。
【００２６】
（開閉切り替え式フィン）
ここで、本発明に係るロールスクリーン１では、所定の生地１３を容易に取着可能とした構造を有するフィン９が、取付フレーム２の前側（正面側）に取着され、巻取パイプ３と取付フレーム２との間で生じる隙間からの光漏れ等を効果的に遮蔽するようになっており、尚且つフィン９は、外光に対し遮蔽する閉状態と、外光に対し部分採光する開状態とを切り替え可能となっている。
【００２７】
特に、本実施形態では、図１に示すように、フィン９の開閉切り替えを操作するための２本の切替コード５０が設けられている。各切替コード５０の一端はフィン９の背面における下端近傍の取付位置５０ａに取着され、各切替コード５０の他端は取付フレーム２内を案内されて、ストッパー装置５１を介した後、支持部材２ａに設けられた導出口（図示せず）を介して外部に導出されて下方垂下し切替グリップ５２に取着されている。
【００２８】
図２には、本実施形態のロールスクリーン１における一実施例のフィン９の構成を示している。図２に示すように、取付フレーム２の正面側に設けられている軸受部２０にフィン９の軸部９１が係合しており、これによりフィン９は、取付フレーム２の前側（正面側）で所定の範囲内で回動可能に支持される。
【００２９】
フィン９は、全体として略Ｌ字状の断面形状を有しており、取付フレーム２の前側（正面側）で回動可能に係止される。フィン９は遮光性の高い合成樹脂やアルミニウム等により形成するのが好適であるが、本例のように生地１３を取着する場合には透明又は半透明の合成樹脂とすることもできる。
【００３０】
そして、フィン９の左右方向幅は、取付フレーム２の左右方向幅と略同一の長さを有し、より正確には取付フレーム２の左右方向幅よりもわずかに短い構成となっており、例えばフィン９が合成樹脂で形成されているときに熱膨張等で左右方向幅が変化しても、スムーズに回動可能に係止されるようになっている。
【００３１】
取付フレーム２の正面下方には、その長手方向に延在する略Ｃ字断面形状の軸受部２０が形成されている。この軸受部２０にフィン９の軸部９１が係合しており、これによりフィン９は、取付フレーム２の背面側で回動可能に支持される。取付フレーム２の左右方向の両端部には支持部材２ａ，２ｂが取着されている。
【００３２】
より具体的には、軸受部２０は、取付フレーム２の底部から上方に延びる回動規制片２０ａの先端に折曲軸２０ｆを形成し、フィン９の軸部９１を支持可能にしている。回動規制片２０ａは、フィン９の下方への回動を規制する機能を有する。また、取付フレーム２の背面における軸受部２０の上方には、フィン９の上方への回動を規制する回動規制片２０ｂが形成されている。図示する例では、回動規制片２０ａは取付フレーム２の本体正面から前方に突出する略Ｃ字状で形成され、回動規制片２０ｂは後方に突出する略板状で形成されている。そして、フィン９の軸部９１が軸受部２０に軸支されている状態では、フィン９の上下方向への回動が規制され、フィン９をどのように回動させても背面方向へ軸受部２０から外れないようになっている。
【００３３】
フィン９は、その概略構成として、先端に略Ｃ字状の軸部９１を有し取付フレーム２の前側面から前方へ所定長さで屈曲して突出する支持板部９３と、この支持板部９３から下方へ所定長さで延びる遮蔽板部９４とにより、全体として略Ｌ字状の断面形状を有し、スクリーン４（或いは後述するウェイトバー５）との干渉による衝突力や接触音を回避又は緩和するよう複曲面形状の部材（本例では単一部材だが、複合部材でもよい）で形成されている。
【００３４】
軸部９１の先端は鋭角に屈折した略鉤形状で形成され、軸受部２０に対して空間的余裕を持たせた状態で係合させることで、フィン９が軸受部２０から外れにくくするとともに、フィン９の回動自由度を高めている。
【００３５】
一方、このように回動自由度を高めた態様でフィン９の軸部９１を軸受部２０に係止させると、フィン９と回動規制片２０ｂの回動干渉により不快な干渉音（接触音）を生じさせることから、軸部９１には、厚みを変化させ回動範囲で肉厚を持たせた曲部９２を形成している。
【００３６】
また、支持板部９３の先端に設けられる軸部９１の付け根近傍には、当接部９７が形成されている。当接部９７は、詳細は後述するが回動規制片２０ｂと当接することで、フィン９の上方への回動を規制する部位である。
【００３７】
このような軸部９１の形状とすることで、フィン９が軸受部２０から外れにくくするとともに、ガタツキを抑制してその干渉音を軽減させつつフィン９の回動を許容するものとなっている。これにより、当接部９７と回動規制片２０ｂとの回動干渉に起因する不快な干渉音（接触音）も無視できるほど軽減させることができる。
【００３８】
また、支持板部９３の先端に設けられている軸部９１の下方には、突起部９８が形成されており、突起部９８は軸部９１と並んで支持板部９３から突出している。突起部９８は、取付フレーム２における軸受部２０の回動規制片２０ａと当接する位置でフィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００３９】
そして、この支持板部９３から下方へ延びる遮蔽板部９４の下端には、曲面形状の干渉緩和部９５が形成されている。干渉緩和部９５は、スクリーン４（或いは巻取パイプ３の室内側からスクリーン４を垂下させる形態ではウェイトバー５）との接触が有るときでも、その接触音や衝突力を緩和するようスクリーン４（又はウェイトバー５）から遠ざかる方向に反り返る形状を有する。
【００４０】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に位置する爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００４１】
ところで、本実施形態では、このフィン９に対し、その開閉切り替えを操作するための２本の切替コード５０が設けられている。図２に示すように、各切替コード５０の一端はフィン９の背面における下端近傍の取付位置５０ａに取着され、各切替コード５０の他端は支持板部９３に形成される挿通孔９３ａに挿通された後、取付フレーム２における回動規制片２０ｂの上部に設けられた挿通孔２３にも挿通されて、取付フレーム２内に案内される。取付フレーム２内に案内された各切替コード５０の他端は、ストッパー装置５１を介した後、支持部材２ａに設けられた導出口（図示せず）を介して外部に導出されて下方垂下し切替グリップ５２に取着される（図１参照）。
【００４２】
即ち、切替グリップ５２による取付フレーム２からの各切替コード５０の引き出し操作により、ストッパー装置５１の作用で各切替コード５０の移動をロック又はロック解除を操作することができ、フィン９の回動範囲内の任意角度で、その開状態と閉状態とを切り替えることができる。尚、ストッパー装置５１のロックを解除した状態では、フィン９は自重で、その基本姿勢として、フィン９の遮蔽板部９４の長手方向が取付フレーム２の前後方向に対しほぼ垂直（鉛直方向への垂下）になり、フィン９の回動範囲内で自由回動可能な状態となる。
【００４３】
図３（ａ），（ｂ）は、本実施形態のロールスクリーン１における一実施例のフィン９の動作を説明する側面図であり、特に、図３（ａ）にはフィン９の下側回動規制に関して、図３（ｂ）にはフィン９の上側回動規制に関して図示している。
【００４４】
図３（ａ）に示すように、支持板部９３の先端に設けられている軸部９１の下方には、突起部９８が形成されており、突起部９８は軸部９１と並んで支持板部９３から突出している。フィン９は、軸部９１により軸受部２０における折曲軸２０ｆによって回動可能に係止される。フィン９に設けられる突起部９８は、取付フレーム２における軸受部２０の回動規制片２０ａと当接する位置でフィン９の下方への回動を規制する機能を有する。このとき、フィン９は、その基本姿勢として、フィン９の遮蔽板部９４の長手方向が取付フレーム２の前後方向に対しほぼ垂直（鉛直方向への垂下）になるように規制されている。このように、フィン９をロールスクリーン１の取付フレーム２に取り付けたときの基本姿勢としてフィン９の遮蔽板部９４の長手方向が取付フレーム２の前後方向に対しほぼ垂直（鉛直方向への垂下）となるため、その意匠性を向上させている。
【００４５】
また、図３（ｂ）に示すように、フィン９に設けられる軸部９１の付け根近傍には、当接部９７が形成されている。当接部９７は、当該基本姿勢からフィン９が回動した際に回動規制片２０ｂと当接することでフィン９の上方への回動を規制する部位である。これにより、フィン９がブラケット６やその取付面に対し非当接となるようになっている。このように、フィン９をロールスクリーン１の取付フレーム２に取り付けた場合の操作性を損なうことなく、その品質を維持することができる。
【００４６】
図４（ａ），（ｂ）は、それぞれ本発明による第１実施形態の遮蔽装置としてのロールスクリーンにおけるフィンの開閉切り替え動作例を示す側面図である。
【００４７】
図４（ａ）に示すように、切替グリップ５２による取付フレーム２からの各切替コード５０の僅かな引き出し操作により、ストッパー装置５１のロックを解除した状態では、フィン９は自重で、その基本姿勢として、フィン９の遮蔽板部９４の長手方向が取付フレーム２の前後方向に対しほぼ垂直（鉛直方向への垂下）な閉状態となる（フィン９の回動範囲内で自由回動可能な状態となる）。即ち、図４（ａ）に示すフィン９の閉状態は、取付フレーム２の下方からの光漏れを防止する遮蔽時の状態となる。
【００４８】
一方、図４（ｂ）に示すように、切替グリップ５２による取付フレーム２からの各切替コード５０の引き出し操作により、ヘッドボックス１から各切替コード５０を引き出することでフィン９は回動し、ストッパー装置５１によるロックを作動させることでその回動範囲内の任意角度で開状態に維持される。即ち、図４（ｂ）に示すフィン９の開状態は、取付フレーム２の下方からの外光を部分的に取り入れる部分採光時の状態となる。
【００４９】
従って、切替グリップ５２による取付フレーム２からの各切替コード５０の引き出し操作により、ストッパー装置５１の作用で各切替コード５０の移動をロック又はロック解除を操作して、フィン９の回動範囲内の任意角度で、その開状態と閉状態とを切り替えることができ、即ちフィン９の遮蔽状態と部分採光状態とを切り替えることができる。
【００５０】
これにより、第１実施形態によれば、遮蔽装置の上方に配置したフィン９の開閉状態を切り替え可能とすることで、より快適性の高い優れた遮蔽装置を構成することができる。
【００５１】
〔第２実施形態〕
次に、図５を参照して、本発明による第２実施形態の遮蔽装置としてのロールスクリーン１の構成を説明する。図４は、本発明に係る第２実施形態の遮蔽装置としてのロールスクリーン１の概略構成を示す正面図である。図５に示す第２実施形態において、第１実施形態と同様な構成要素には同一の参照番号を付している。
【００５２】
図５に示すロールスクリーン１では、第１実施形態と同様に、操作コード７を操作して巻取パイプ３をスクリーン巻取り方向へ回転させるとウェイトバー５が上昇し、巻取パイプ３をスクリーン巻戻し方向へ回転させるとウェイトバー５が下降するよう構成される。
【００５３】
また、図５に示すロールスクリーン１では、第１実施形態と同様に、フィン９が、取付フレーム２の前側（正面側）に取着され、巻取パイプ３と取付フレーム２との間で生じる隙間からの光漏れ等を効果的に遮蔽するようになっており、尚且つフィン９は、外光に対し遮蔽する閉状態と、外光に対し部分採光する開状態とを切り替え可能となっている。
【００５４】
ただし、図５に示すロールスクリーン１では、フィン９の開閉切り替えを操作可能とするために、第１実施形態のような切替コード５０、ストッパー装置５１及び切替グリップ５２を設ける代わりに、図６に示すように、フィン９の軸部９１を被動ギヤ構造とし、この被動ギヤ構造の軸部９１と噛合する駆動ギヤ軸６３、操作棒６０、ブレーキ装置６１及び伝達ギヤ部６２を設けている。図５に示すロールスクリーン１におけるフィン９の形状は、フィン９の軸部９１を被動ギヤ構造としている点を除き、第１実施形態と同様とすることができる。
【００５５】
（開閉切り替え式フィン）
従って、図６に示す本実施形態においても、所定の生地１３を容易に取着可能とした構造を有するフィン９が、取付フレーム２の前側（正面側）に取着され、巻取パイプ３と取付フレーム２との間で生じる隙間からの光漏れ等を効果的に遮蔽するようになっており、尚且つフィン９は、外光に対し遮蔽する閉状態と、外光に対し部分採光する開状態とを切り替え可能となっている。
【００５６】
図６に示すように、フィン９の軸部９１は被動ギヤ構造としており、軸部９１の左右両側から円柱軸９１１が延在している。フィン９の軸部９１は取付フレーム２内に位置して、その左右両側の円柱軸９１１は、それぞれ左右両側の支持部材２ａ，２ｂに設けられた丸孔（図示せず）により回動可能に支持される。
【００５７】
駆動ギヤ軸６３は、被動ギヤ構造の軸部９１と噛合するよう構成され、駆動ギヤ軸６３の左右両側から円柱軸６３１が延在している。駆動ギヤ軸６３は取付フレーム２内に位置して、その左右両側の円柱軸６３１は、それぞれ左右両側の支持部材２ａ，２ｂに設けられた丸孔（図示せず）により回動可能に支持されるとともに、右側の円柱軸６３１の端部には被動ベベルギヤ６２２が設けられている。また、駆動ギヤ軸６３の右側の円柱軸６３１上にはゴム材等の制動部材６１１が設けられており、取付フレーム２内に固定支持されるブレーキ装置６１により、操作棒６０の非操作時には、フィン９に対し直接的な外力が加わらない限りフィン９の回動状態を保持するよう常に駆動ギヤ軸６３の円柱軸６３１の回転に制動トルクが生じるようになっている。
【００５８】
操作棒６０は、例えば六角棒状に形成され、その上端に駆動ベベルギヤ６２１が形成され、伝達ギヤ部６２に対し回転可能に支持されている。
【００５９】
伝達ギヤ部６２は、支持部材２ａの外側側面に設置され、駆動ギヤ軸６３の端部に設けられる被動ベベルギヤ６２２と、操作棒６０の上端に設けられる駆動ベベルギヤ６２１とが互いに噛合するように支持して、操作棒６０の回転を駆動ギヤ軸６３の回転へと伝達するようになっている。そして、駆動ギヤ軸６３の回転は、フィン９の軸部９１へ伝達されて、フィン９の開閉が切り替え操作できるようになっている。
【００６０】
尚、本例では、駆動ベベルギヤ６２１と被動ベベルギヤ６２２とにより、操作棒６０の回転を駆動ギヤ軸６３の回転へと伝達する構成例を示しているが、ウォームとウォームホイールを利用した回転伝達機構やベルトを利用した回転伝達機構とするなど任意である。
【００６１】
図７（ａ），（ｂ）は、それぞれ本発明による第２実施形態の遮蔽装置としてのロールスクリーンにおけるフィンの開閉切り替え動作例を示す側面図である。
【００６２】
図７（ａ）に示すように、フィン９の基本姿勢として、フィン９の遮蔽板部９４の長手方向が取付フレーム２の前後方向に対しほぼ垂直（鉛直方向への垂下）な閉状態となる（フィン９の回動範囲内で自由回動可能な状態となる）。即ち、図７（ａ）に示すフィン９の閉状態は、取付フレーム２の下方からの光漏れを防止する遮蔽時の状態となる。尚、図６に示すブレーキ装置６１により、操作棒６０の非操作時には、フィン９に対し直接的な外力が加わらない限りフィン９の回動状態を保持するよう常に駆動ギヤ軸６３の回転に制動トルクが生じている。
【００６３】
一方、図７（ｂ）に示すように、操作棒６０の回転操作により駆動ギヤ軸６３が回転し、その駆動ギヤ軸６３の回転は、フィン９の軸部９１へ伝達されて、フィン９の開閉が切り替え操作できるようになっている。ブレーキ装置６１により、フィン９は、その回動範囲内の任意角度で開状態に維持される。即ち、図７（ｂ）に示すフィン９の開状態は、取付フレーム２の下方からの外光を部分的に取り入れる部分採光時の状態となる。
【００６４】
従って、操作棒６０の回転操作により、フィン９の回動範囲内の任意角度で、その開状態と閉状態とを切り替えることができ、即ちフィン９の遮蔽状態と部分採光状態とを切り替えることができる。
【００６５】
これにより、第２実施形態によれば、遮蔽装置の上方に配置したフィン９の開閉状態を切り替え可能とすることで、より快適性の高い優れた遮蔽装置を構成することができる。
【００６６】
（変形例）
上述した第１及び第２実施形態に係るロールスクリーン１では、いずれも１つのフィン９の開閉状態を切り替え可能とする例を説明したが、複数段のフィン（例えば、２段のフィン９Ａ，９Ｂ）を設け、それぞれ個別に、その開閉状態を切り替え可能とする構成とすることもできる。
【００６７】
例えば、図８（ａ）,（ｂ）は、それぞれ本発明による第１及び第２実施形態の遮蔽装置としてのロールスクリーン１の変形例を示す側面図である。尚、第１及び第２実施形態と同様な構成要素には同一の参照番号を付している。
【００６８】
まず、図８（ａ）では、第１実施形態の変形例として、取付フレーム２と巻取パイプ３との間で、２段のフィン９Ａ，９Ｂを上下に配置した例である。フィン９Ａは、その軸部９１Ａが取付フレーム２の上述した軸受部２０に係合して回動可能に支持されている。一方、フィン９Ｂは、その軸部９１Ｂが取付フレーム２の軸受部２０の下方で吊下支持される支持体２４に対し回動可能に支持されている。即ち、支持体２４は、取付フレーム２の軸受部２０の下方の左右両側で吊下支持される吊下部２４１と、上述した軸受部２０とほぼ同形状の軸受部２４２で構成され、その軸受部２４２と軸受部２０との間、及び軸受部２４２と巻取パイプ３との間は空洞が形成されており採光できる。
【００６９】
そして、フィン９Ａは、第１実施形態と同様に、その開閉切り替えを操作するための２本の切替コード５０Ａが設けられ、各切替コード５０Ａの一端はフィン９Ａの背面における下端近傍の取付位置に取着され、各切替コード５０Ａの他端は取付フレーム２内に案内され、ストッパー装置５１Ａを介した後、支持部材２ａに設けられた導出口（図示せず）を介して外部に導出されて下方垂下し切替グリップ５２Ａに取着される。
【００７０】
また、フィン９Ｂも同様に、その開閉切り替えを操作するための２本の切替コード５０Ｂが設けられ、各切替コード５０Ｂの一端はフィン９Ｂの背面における下端近傍の取付位置に取着され、各切替コード５０Ｂの他端は取付フレーム２内に案内され、ストッパー装置５１Ｂを介した後、支持部材２ａに設けられた導出口（図示せず）を介して外部に導出されて下方垂下し切替グリップ５２Ｂに取着される。
【００７１】
このように構成された２段のフィン９Ａ，９Ｂは、それぞれ個別に、切替グリップ５２Ａ，５２Ｂによる取付フレーム２からの各切替コード５０Ａ，５０Ｂの引き出し操作により、ストッパー装置５１Ａ，５１Ｂの作用で各切替コード５０Ａ，５０Ｂの移動をロック又はロック解除を操作して、フィン９Ａ，９Ｂの回動範囲内の任意角度で、その開状態と閉状態とを切り替えることができ、即ちフィン９Ａ，９Ｂの遮蔽状態と部分採光状態とを、それぞれ個別に切り替えることができる。
【００７２】
また、図８（ｂ）では、第２実施形態の変形例として、取付フレーム２と巻取パイプ３との間で、２段のフィン９Ａ，９Ｂを上下に配置した例である。フィン９Ａは、その被動ギヤ構造の軸部９１Ａが取付フレーム２内で回転可能に支持される駆動ギヤ軸６３Ａに噛合して左右両側の支持部材２ａ，２ｂに対し回動可能に支持されている。一方、フィン９Ｂは、その被動ギヤ構造の軸部９１Ｂが取付フレーム２の軸受部２０の下方の左右両側で吊下支持される支持体２５の間で回転可能に支持される駆動ギヤ軸６３Ｂに噛合して、その左右両側の支持体２５に対し回動可能に支持されている。
【００７３】
尚、支持体２５は、支持部材２ａ，２ｂと一体化したものでもよい。従って、駆動ギヤ軸６３Ｂ（又は軸部９１Ｂ）と軸受部２０との間、及び駆動ギヤ軸６３Ｂ（又は軸部９１Ｂ）と巻取パイプ３との間は空洞が形成されており採光できる。
【００７４】
そして、フィン９Ａに関して、第２実施形態と同様に、その開閉切り替えを操作するための操作棒６０Ａの回転を駆動ギヤ軸６３Ａに伝達する伝達ギヤ部（図示せず）、及びフィン９Ａに対し直接的な外力が加わらない限りフィン９Ａの回動状態を保持するよう常に制動トルクを生じさせるブレーキ装置（図示せず）が設けられている。
【００７５】
同様に、フィン９Ｂに関して、第２実施形態と同様に、その開閉切り替えを操作するための操作棒６０Ｂの回転を駆動ギヤ軸６３Ｂに伝達する伝達ギヤ部（図示せず）、及びフィン９Ｂに対し直接的な外力が加わらない限りフィン９Ｂの回動状態を保持するよう常に制動トルクを生じさせるブレーキ装置（図示せず）が設けられている。
【００７６】
このように構成された２段のフィン９Ａ，９Ｂは、それぞれ個別に、操作棒６０Ａ，６０Ｂによる回転操作により、フィン９Ａ，９Ｂの回動範囲内の任意角度で、その開状態と閉状態とを切り替えることができ、即ちフィン９Ａ，９Ｂの遮蔽状態と部分採光状態とを、それぞれ個別に切り替えることができる。
【００７７】
〔第３実施形態〕
上述した第１及び第２実施形態、並びにその変形例に係るロールスクリーン１では、いずれも間接的な操作で１つ又は複数のフィン９（又は９Ａ，９Ｂ）の開閉状態を切り替え可能とする例を説明したが、直接的な手操作で、その開閉状態を切り替え可能とする構成とすることもできる。
【００７８】
例えば、図９（ａ）,（ｂ）は、それぞれ本発明による第３実施形態の遮蔽装置としてのロールスクリーン１における１つのフィン９における開閉切り替え動作例を示す側面図である。尚、図９（ａ）,（ｂ）に示すフィン９は、図３（ａ）,（ｂ）を参照して前述した第１実施形態のフィン９と対比可能に図示しており、同様な構成要素には同一の参照番号を付している。
【００７９】
図９（ａ）,（ｂ）に示す第３実施形態に係るフィン９は、図３（ａ）,（ｂ）に示す第１実施形態のフィン９と対比して、支持板部９３の先端に設けられる軸部９１の付け根近傍の当接部９７の近傍に、凹部９７ａが形成されている点で相違しており、尚且つ当接部９７と当接可能な取付フレーム２の軸受部２０の上部に位置する回動規制片２０ｂの先端に、凹部９７ａと嵌合可能な凸部２０ｃが形成されている点で相違している。
【００８０】
本例では、フィン９の凹部９７ａがフィン９の左右方向のほぼ全長に亘って形成され、回動規制片２０ｂの凸部２０ｃが、回動規制片２０ｂの左右方向のほぼ全長に亘って形成されている例を示しているが、いずれも当該左右方向で適所に、１つ又は複数の凹部９７ａ及び凸部２０ｃを部分的に形成してもよい。
【００８１】
当接部９７は、図９（ａ）に示す状態から直接的な手動操作でフィン９を上方へと回動させたときに、回動規制片２０ｂと当接することで、フィン９の上方への回動を規制する部位であるが、本実施形態では、フィン９の上方への回動を更に押し上げることで、回動規制片２０ｂ、或いはフィン９の当接部９７が弾性変形してフィン９の凹部９７ａと回動規制片２０ｂの凸部２０ｃが嵌合し、図９（ｂ）に示すようにフィン９が回動した状態を保持できるようになる。
【００８２】
従って、本実施形態では、手でフィン９を上げるとクリック機能が働いて固定され、部分採光状態となる。その部分採光状態からフィン９を遮蔽状態にするには、手でフィン９を下げると固定が解除される。
【００８３】
このように、１つ又は複数のフィン９（又は９Ａ，９Ｂ）について、直接的な手操作で、その開閉状態を切り替え可能とする構成とすることができる。
【００８４】
このような直接的な手操作を可能とするフィン９の他の例として、例えば図１０（ａ）に示すように、フィン９の軸部９１を丸軸等で構成し、ゴム材等の制動部材７０を介して制動力を持たせた上で、支持部材２ａ，２ｂに形成される丸孔に対し回動可能に支持する構成としてもよい。
【００８５】
或いは図１０（ｂ）に示すように、フィン９の軸部９１を丸軸等で構成して支持部材２ａ，２ｂに形成される丸孔に対し回動可能に支持する構成とし、その軸部９１上にて、外周の一部又は全部に凹凸８１を形成したリング８１を固定しておき、取付フレーム２の軸受部２０、或いは支持部材２ａ，２ｂに形成される凸部２０ｄと段階的に係合するようにして、多段的な回動支持を可能とする構成としてもよい。
【００８６】
また、図９及び図１０に例示したような直接的な手操作を可能とする第３実施形態の遮蔽装置としてのロールスクリーン１において、上述した第１及び第２実施形態、並びにその変形例に係る間接的な操作を可能とする切替操作機構（第１実施形態における切替コード５０や、第２実施形態における操作棒等）を追加した形態とすることもできる。
【００８７】
以上、特定の実施形態及び実施例を挙げて本発明を説明したが、本発明は前述の実施形態の例に限定されるものではなく、その技術思想を逸脱しない範囲で種々変形可能である。特に、フィン９は、生地１３を取着可能とする形態に限らず、生地１３を取着不能としてもよい。
【００８８】
また、フィン９の軸部９１の形状・構造や、係止する方法はその一例を説明したにすぎず、例えばフィン９の軸部９１を丸軸等で形成してもよいし、フィン９の軸部９１を、例えばロールスクリーンであれば、枠体としての取付フレーム２に支持するではなく支持部材２ａ，２ｂに支持する構成とすることもできる。
【００８９】
また、フィン９は、枠体に対し回動する形態に限らず、枠体に対しスライドする形態など、任意の可動形態とすることもできる。
【００９０】
また、ロールスクリーンに限らず、横型ブラインド、たくし上げカーテン、プリーツスクリーン等の遮蔽装置に対し、本発明に係る開閉切り替え式のフィン９を適用することができる。
【産業上の利用可能性】
【００９１】
本発明によれば、遮蔽装置の上方に配置したフィンの開閉状態を切り替え可能とすることで、より快適性の高い優れた遮蔽装置を構成することができるので、フィンによる遮光及び部分採光を要する遮蔽装置の用途に有用である。
【符号の説明】
【００９２】
１  ロールスクリーン
２  取付フレーム
２ａ，２ｂ  支持部材
３  巻取パイプ
４  スクリーン
５  ウェイトバー
９，９Ａ，９Ｂ  フィン
２０  軸受部
２０ａ，２０ｂ  回動規制片
２０ｃ  回動規制片の凸部
５０  切替コード
５１  ストッパー装置
５２  切替グリップ
６０  操作棒
６１  ブレーキ装置
６２  伝達ギヤ部
６３  駆動ギヤ軸
７０  制動部材
８０  リング
９１  フィンの軸部
９２  フィンの曲部
９３  フィンの支持板部
９４  フィンの遮蔽板部
９５  フィンの干渉緩和部
９６ａ，９６ｂ  フィンの突起片
９７  フィンの当接部
９７ａ  フィンの凹部
９８  フィンの突起部
【図１】
2019044356.tif 000003
【図２】
2019044356.tif 000004
【図３】
2019044356.tif 000005
【図４】
2019044356.tif 000006
【図５】
2019044356.tif 000007
【図６】
2019044356.tif 000008
【図７】
2019044356.tif 000009
【図８】
2019044356.tif 000010
【図９】
2019044356.tif 000011
【図１０】
2019044356.tif 000012